(57)【要約】      （修正有）【課題】住宅用分電盤の取替え工事の際に、取付け場所における造営材からの電線の露出位置、即ち造営材の開口部の位置にかかわらず、容易に電線の引込み工事を行うことを可能とするとともに、造営材の表面を伝って配設されている電線についても、分電盤への引込み作業性をより向上できる住宅用分電盤用アタッチメントを提供する。【解決手段】住宅用分電盤と該住宅用分電盤を取付ける造営材との間に設けられる住宅用分電盤用アタッチメントに関して、住宅用分電盤外部からの電線の引込み作業の妨げにならない範囲に開口部２と、造営材に該アタッチメント１を取付けるアタッチメント取付け部４と、該アタッチメント１に住宅用分電盤取付け部５とを設け、該住宅用分電盤取付け部５は、住宅用分電盤を造営材に取付ける取付けねじが設けられる位置と対応する位置に設けた。【選択図】図１
2007159249.tif 000002
【特許請求の範囲】
【請求項１】
分電用の機器を収納する筐体本体がカバーによって着脱自在に覆われてなる住宅用分電盤と該住宅用分電盤を取付ける造営材との間に設けられる住宅用分電盤用アタッチメントであって，
住宅用分電盤外部からの電線の引込み作業の妨げにならない範囲に設けられた開口部と，
造営材に該アタッチメントを取付けるアタッチメント取付け部と，
該アタッチメントに住宅用分電盤を取付ける住宅用分電盤取付け部とを有し，
該住宅用分電盤取付け部は，住宅用分電盤を造営材に取付ける取付けねじが設けられる位置と対応した位置に設けられることを特徴とした住宅用分電盤用アタッチメント。
【請求項２】
前記アタッチメントは，該アタッチメントの天地方向を違えて取付ける場合においても，前記住宅用分電盤取付け部は，住宅用分電盤を造営材に取付ける取付けねじが設けられる位置と対応した位置に設けられるように構成されたことを特徴とする請求項１記載の住宅用分電盤用アタッチメント。
【請求項３】
前記住宅用分電盤取付け部は，アタッチメントの天地方向ならびに水平方向の中心線に対して略対称に設けられることを特徴とする請求項２記載の住宅用分電盤用アタッチメント。
【請求項４】
前記アタッチメントの側面にはノックアウト構造にて形成された電線引込み部を設けたことを特徴とする請求項１乃至請求項３記載の住宅用分電盤用アタッチメント。
【発明の詳細な説明】
【技術分野】
【０００１】
本発明は，住宅用等として用いられる分電盤の付属装置に係り，特に，既設分電盤を新しい分電盤に取替える工事の際に用いて配線作業を容易に行うための付属装置に関する。
【背景技術】
【０００２】
分電盤に内設されるブレーカへの電線接続の作業性の改良については，例えば特許文献１に示すように公知である。この例においては，分電盤の筐体内に引込んだ電線を主幹ブレーカに接続する作業を容易にするために，その接続方法が改良されているものである。
【０００３】
さて，電線接続の作業性の改良は，住宅において，近年のオール電化工事に伴い，益々重要な課題となっている。また，負荷機器の増加に伴う分岐回路数の増加・増設や，住宅用分電盤の耐用年数が経過するなどの理由により，既設の住宅用分電盤を新しい住宅用分電盤に取替える場合には，既に設置されてある住宅用分電盤を一旦取り去り，新しい住宅用分電盤の取り付けを行うこととなる。この際，ほとんどの場合は，既設の住宅用分電盤を取去った後に造営材から露出している従来接続されていた電線をそのまま再利用して用いる施工方法をとっている。
【０００４】
【特許文献１】特開２００４−１６６３８５号  「０００２」，「０００７」
【発明の開示】
【発明が解決しようとする課題】
【０００５】
しかしながら，新しい住宅用分電盤の取付ける際に電線を引込む場合，電線の造営材からの露出場所によっては，この電線引込み作業が困難となる場合があった。通常，分電盤の壁への取付け面側（造営材側という）には，分電盤に電線を引込むための引込み部（図１３，図１４の１０１１）が設けられており，造営材には該引込み部１０１１と対応する位置に電線の貫通部となる開口部１００１を設けるように施工する。さて，分電盤取替え工事の際において，該開口部１００１の位置が，従来設置されていた住宅用分電盤の電線引込み部１０１１と，新しい住宅用分電盤の電線引込み部とが同一場所に設けられている場合にはそのまま取替え工事を行うことが可能であるが，図１５，図１６に示しているように，造営材に設けられた開口部１００１の位置と，新しい住宅用分電盤の電線引込み部１０１２とが異なる位置に設けられている場合，電線を分電盤に引込む際に，分電盤の造営材側と干渉して物理的に引込みが行えない場合があるという課題や，造営材側の開口部から分電盤の電線引込み部に電線を延設する場合に電線に負荷がかかり，接続される接続端子部に必要以上に負荷がかかり場合によっては端子部の破損につながるという課題があった。
【０００６】
また，施工業者によっては，一旦，住宅用分電盤の取替え現場まで赴き，造営材側の開口部１０００１の位置（電線の造営材からの露出位置）を確認した後に，該開口部１００１の位置が適合する住宅用分電盤の型番を調査して，発注を行うため，実際に現場まで出向く必要があるという手間と，取替え用の新しい住宅用分電盤を手配し入手するまでの時間がかかり，結果として施工完了までの納期がかかり，非効率であるという課題があった。
【０００７】
そこで，本発明はこのような課題に鑑みてなされたものであり，
住宅用分電盤の取替え工事の際に，取付け場所における造営材からの電線の露出位置，即ち造営材の開口部の位置にかかわらず，容易に電線の引込み工事を行うことを可能とするとともに，造営材の表面を伝って配設されている電線についても，分電盤への引込み作業性をより向上できる住宅用分電盤用アタッチメントを提供することを目的としている。
【課題を解決するための手段】
【０００８】
上記目的を達成するために，請求項１の発明では，住宅用分電盤外部からの電線の引込み作業の妨げにならない範囲に設けられた開口部と，
造営材に該アタッチメントを取付けるアタッチメント取付け部と，
該アタッチメントに住宅用分電盤を取付ける住宅用分電盤取付け部とを有し，
該住宅用分電盤取付け部は，住宅用分電盤を造営材に取付ける取付けねじが設けられる位置と対応した位置に設けられることを特徴として，分電用の機器を収納する筐体本体がカバーによって着脱自在に覆われてなる住宅用分電盤と該住宅用分電盤を取付ける造営材との間に設けられる住宅用分電盤用アタッチメントを提供したものである。
【０００９】
このような構成によれば，住宅用分電盤の取替え工事の際に，取付け場所における造営材からの電線の露出位置，即ち造営材の開口部の位置にかかわらず，容易に電線の引込み工事を行うことを可能とでき，作業効率を向上させることができる住宅用分電盤用アタッチメントを提供することができる。
【００１０】
また，前記アタッチメントは，該アタッチメントの天地方向を違えて取付ける場合においても，前記住宅用分電盤取付け部は，住宅用分電盤を造営材に取付ける取付けねじが設けられる位置と対応した位置に設けられるように構成されたことを特徴として構成してもよい。
【００１１】
これにより，アタッチメントを造営材に取付ける際に天地方向を考慮することなく取付けることができるため，取付け作業において方向性にとらわれることなくことなくより容易に作業を行うことができる。
【００１２】
また，前記住宅用分電盤取付け部は，アタッチメントの天地方向ならびに水平方向の中心線に対して略対称に設けられることを特徴として構成してもよい。
【００１３】
これにより，アタッチメントを造営材に取付ける際に天地方向を考慮することなく取付けることができるため，取付け作業において方向性にとらわれることなくことなくより容易に作業を行うことができる。
【００１４】
また，前記アタッチメントの側面にはノックアウト構造にて形成された電線引込み部を設けたことを特徴として構成してもよい。
【００１５】
これにより，造営材の内側から露出している電線の住宅用分電盤への引込み作業に加えて，造営材の表面を伝って配設されている電線の引込み作業についてもより容易に行うことができる。
【発明の効果】
【００１６】
本発明によれば，住宅用分電盤の取替え工事の際に，取付け場所における造営材からの電線の露出位置，即ち造営材の開口部の位置にかかわらず，容易に電線の引込み工事を行うことを可能とするとともに，造営材の表面を伝って配設されている電線についても，分電盤への引込み作業性をより向上できる住宅用分電盤用アタッチメントを提供することが可能となる。
【発明を実施するための最良の形態】
【００１７】
以下に本件発明の実施の形態に係る住宅用分電盤用のアタッチメントについて，図面を参照しつつ詳細に説明する。
【００１８】
図１は，本発明の住宅用分電盤用のアタッチメントの住宅用分電盤を取り付ける側（正面側という）からみた平面図，図２は該アタッチメントが造営材に取り付けられる側（造営材側という）からみた平面図，図３は該アタッチメントの正面側からみた斜視図，図４は前記斜視図の一部拡大図，また，図５はアタッチメントに取り付けられる住宅用分電盤１００の本体１１０の平面図，図６は住宅用分電盤の斜視図である。なお，図５において符号１１１は主開閉器，１１２は分岐開閉器，１１３は絶縁性素材で形成された感電防止カバー，１１４は住宅用分電盤を造営材に取り付ける際に利用するねじを貫通させるだるま穴，１１５は住宅用分電盤１００を造営材に取り付ける際に使用するねじ止め穴である。図７は造営材にアタッチメントを取り付ける場合の説明図，図８はアタッチメントに住宅用分電盤を取り付ける場合の説明図である。図９，図１０は造営材から露出している電線の引込み説明図である。図１１，図１２は，造営材の表面を伝って配設されている電線の引込み説明図である。
【００１９】
図１において，アタッチメント１の筐体外形は，分電盤１００の筐体本体１１０における造営材側の外形寸法と略同一の大きさに形成されており，略中央部には造営材から露出する電線を引込むための開口部２が設けられている。また，該アタッチメント１の，正面側から造営材に向かう厚みは引込む電線の曲げを吸収できる程度に設けられている。
【００２０】
４はアタッチメント１を造営材に取付けるためのアタッチメント取付け部であり，ねじなどにより固定される。該取り付け穴４は筐体の略端部に合計６個設けられている。該取り付け穴４の数は適宜設けるとよい。
【００２１】
５はアタッチメント１に住宅用分電盤１００を取付ける住宅用分電盤取付け部であり，住宅用分電盤１００を造営材に取付ける取付けねじが設けられる位置１１５と対応した位置に設けられ，本実施の形態においては，合計６箇所に設けられている。即ち，該住宅用分電盤取付け部５が設けられている位置は，アタッチメント１と住宅用分電盤１００を組み合わせた際に，正面側から造営材側を臨む方向において，住宅用分電盤１００の造営材への取り付け部１１５を造営材側に投影させた位置に設けられている。
【００２２】
７は，アタッチメント１の筐体の上下方向に筐体の一方から他方に亘って設けられたリブである。必要に応じて複数設けてもよい。また，該リブ７は，造営材に取り付けて電線を引込む際に電線と干渉するようであれば切り取って取り去る。
【００２３】
８はノックアウト構造にて形成された，アタッチメント１の筐体側面に設けられた電線引込み部である。既存の住宅用分電盤の施工場所や施工状態においては，電線が造営材の内側ではなく配線モールやダクトを用いて造営材の表面を伝って配線されている場合があるが，このような場合において，電線引込み部８を用いて，電線を住宅用分電盤１００へ引込む。
【００２４】
また，アタッチメント１は，前述したノックアウト構造にて形成された電線引込み部８の位置を，該アタッチメント１の天地方向を違えて造営材に取付けることにより１８０度変えた状態で用いることができる。
【００２５】
住宅用分電盤１００の天地方向は一定のため，該アタッチメント１の天地方向を違えて造営材に取付けた場合においても，住宅用分電盤１００を造営材に取付けるねじが設けられる位置１１５と対応する位置に住宅用分電盤取付け部５が位置するように設けられている。
【００２６】
本実施の形態においては，アタッチメント１の天地方向の中心線ならびに水平方向の中心線に対して略対称に住宅用分電盤取付け部５を設けて，該アタッチメント１の天地方向を違えて造営材に取付けた場合においても，住宅用分電盤１００を造営材に取付けるねじが設けられる位置１１５と対応する位置に住宅用分電盤取付け部５が位置するように設けられている。
【００２７】
これにより，電線が造営材の内側ではなく配線モールやダクト３００を用いて造営材の表面を伝って配線されている場合において，その電線の住宅用分電盤１００への引込み方向が天から地（上側から下側）の方向，地から天（下側から上側）の方向どちらの場合においても施工が可能となり，住宅用分電盤単体の場合と比べて，電線の引込み施工性をより向上させることができる。
【００２８】
次に，アタッチメント１を造営材，及び，住宅用分電盤１００と取り付ける場合について説明を行う。
【００２９】
図７には，アタッチメント１を造営材に取り付ける場合の図を示している。この場合，従来設置されていた住宅用分電盤を一旦取り去った後，略同位置にアタッチメントを設置する。なお，ノックアウト構造にて形成された電線引込み部８は図中上側に配置する向きに設置している。この際，アタッチメント取付け部４を利用して造営材にねじ止め固定する。
【００３０】
次に，図８に示されているように，アタッチメント１に住宅用分電盤１００を取り付ける。この場合は，まず，アタッチメント１に設けられた嵌め合い部３と住宅用分電盤１００のだるま穴１１４の下側穴が合うように位置決めを行う。次に，該だるま穴１１４の上側穴からアタッチメントの分電盤とのねじ止め穴５にねじを通して，ねじ止め固定する。
【００３１】
なお，より取付けを容易にする方法として，住宅用分電盤取付け部の一つである５ａに，先にねじを仮止めしておき，該ねじ頭を，同じく住宅用分電盤に設けられている造営材への取付け部の一つであるだるま穴１１１ａにあてがい，引掛けるようにして位置決めし，住宅用分電盤をアタッチメントに取付けるとより容易に取付けを行うことができる。
【００３２】
次に，造営材の開孔から引き出しておいた電線を主開閉器１１１及び，分岐開閉器１１２に配線を適宜行う。
【００３３】
ノックアウト構造にて形成された電線引込み部８を図７において下側にして，造営材に取付けた場合においても，住宅用分電盤１００とアタッチメント１との取付けは同様に行うことができる。
【００３４】
図９，図１０は，アタッチメント１と住宅用分電盤１００を造営材に取り付けた状態を水平方向の側面方向から示したもので，図９は造営材の開孔が住宅用分電盤の電線引込み穴と略同一位置に設けられている場合を示しており，図１０は造営材の開孔が住宅用分電盤の電線引込み穴と上下方向にずれている場合を示したものである。
【００３５】
図９のように，造営材の開孔が住宅用分電盤の電線引込み穴と略同一位置に設けられている場合には電線の引込みは，アタッチメントを用いない場合においても可能であるが，該アタッチメントを用いない場合と比較して電線の曲げ処理のスペースに余裕を設けられる分，より容易に行うことが出来る。
【００３６】
また，図１０のように造営材の開孔が住宅用分電盤の電線引込み穴と上下方向にずれている場合については，図のように，電線を住宅用分電盤の電線引込み穴まで引込むための曲げ処理のスペースの余裕を十分とることができ，造営材の開孔と住宅用分電盤の電線引込み穴の位置に関係なく電線を住宅用分電盤に引込むことが可能となる。
【００３７】
図１１，図１２は，電線が造営材の内側でなく，配線モールやダクトを用いて造営材の表面を伝って電線が配線されている場合の一例を示しており，図１１が電線の住宅用分電盤への引込み方向が天から地（上側から下側）の方向の場合であり，図１２が電線の住宅用分電盤への引込み方向が地から天（下側から上側）の方向の場合である。これらどちらの場合においても，住宅用分電盤の電線引込み部の位置に関係なく，施工性よく電線引込み作業を行うことが可能である。
【産業上の利用可能性】
【００３８】
以上説明したように，本発明の住宅用分電盤におけるアタッチメントは，住宅用分電盤の取替え工事の際における取替えの施工作業性を高めたものであるため，住宅用分電盤の耐用年数が経過したことによる取替え工事のほか，リフォームを行う場合や，さらには新設の場合においても作業性の向上のため利用できる可能性がある。
【図面の簡単な説明】
【００３９】
【図１】本発明の第一の実施形態を示す正面から見た平面図である。
【図２】同造営材側から見た平面図である。
【図３】同正面側からみた斜視図である。
【図４】本発明におけるアタッチメントの住宅用分電盤との取り付け部の一部拡大図である。
【図５】住宅用分電盤の筐体本体を示した平面図である。
【図６】住宅用分電盤の斜視図である。
【図７】本発明におけるアタッチメントを造営材に取り付ける場合を示した図である。
【図８】本発明におけるアタッチメントを住宅用分電盤に取り付ける場合を示した図である。
【図９】アタッチメントと住宅用分電盤を造営材に取り付けた状態を側面方向から示した図。
【図１０】アタッチメントと住宅用分電盤を造営材に取り付けた状態を側面方向から示した図。
【図１１】電線の引込み状態を示した図。
【図１２】電線の引込み状態を示した図。
【図１３】背景技術を説明した図。
【図１４】背景技術を説明した図。
【図１５】背景技術を説明した図。
【図１６】背景技術を説明した図。
【符号の説明】
【００４０】
１  アタッチメント
２  開口部
３  嵌め合い部
４  アタッチメント取付け部
５  住宅用分電盤取付け部
７  リブ
１００  住宅用分電盤
１１０  筐体本体
１１１  主開閉器
１１２  分岐開閉器
１１３  感電防止カバー
１１４  だるま穴
１１５  造営材へのねじ止め穴
２００  電線
１００１  造営材の開孔
１０１１  住宅用分電盤の電線引込み部
１０１２  住宅用分電盤の電線引込み部
【図１】
2007159249.tif 000003
【図２】
2007159249.tif 000004
【図３】
2007159249.tif 000005
【図４】
2007159249.tif 000006
【図５】
2007159249.tif 000007
【図６】
2007159249.tif 000008
【図７】
2007159249.tif 000009
【図８】
2007159249.tif 000010
【図９】
2007159249.tif 000011
【図１０】
2007159249.tif 000012
【図１１】
2007159249.tif 000013
【図１２】
2007159249.tif 000014
【図１３】
2007159249.tif 000015
【図１４】
2007159249.tif 000016
【図１５】
2007159249.tif 000017
【図１６】
2007159249.tif 000018